(57)【特許請求の範囲】
【請求項１】
第１の法則によって定まるタイミングに従って間欠受信を行う、ある無線通信装置に対して、該ある無線通信装置が、該第１の法則から第２の法則への適用すべき法則の変更を検出する契機となる所定の信号を送信する無線通信装置において、
前記ある無線通信装置に対して無線信号を送信する送信部と、
該所定の信号の送信の後、呼び出し信号を送信する際に、前記第１の法則によって定まるタイミング及び前記第２の法則によって定まるタイミングの双方で該呼び出し信号を送信するように前記送信部を制御する制御部と、
を備えたことを特徴とする無線通信装置。
【請求項２】
前記制御部は、前記所定の信号の送信の後、前記第１の法則によって定まるタイミングで、前記ある無線通信装置に対して前記所定の信号を再度送信するように前記送信部を制御する、
ことを特徴とする請求項１記載の無線通信装置。
【請求項３】
前記所定の信号の送信の後に行う前記所定の信号の再度の送信は、前記呼び出し信号を送信しない場合に実行される、
ことを特徴とする請求項２記載の無線通信装置。
【請求項４】
第１の法則によって定まるタイミングに従って間欠受信を行う、ある無線通信装置に対して、該ある無線通信装置が、該第１の法則から第２の法則への適用すべき法則の変更を検出する契機となる所定の信号を無線通信装置から送信する無線通信システムにおける制御方法において、
前記無線通信装置は、該所定の信号の送信の後、呼び出し信号を送信する際に、前記第１の法則によって定まるタイミング及び前記第２の法則によって定まるタイミングの双方で該呼び出し信号を送信し、
前記ある無線通信装置は、前記所定の信号を受信できなかった場合に、その後、前記第１の法則によって定まるタイミングで前記呼び出し信号を受信する、
ことを特徴とする制御方法。
【請求項５】
第１の法則によって定まるタイミングに従って間欠受信を行う、ある無線通信装置に対して、該ある無線通信装置が、該第１の法則から第２の法則への適用すべき法則の変更を検出する契機となる所定の信号を送信し得る無線通信装置において、
前記ある無線通信装置に対して無線信号を送信する送信部と、
前記第１の法則によって定まるタイミングで、前記ある無線通信装置が、前記法則の変更が発生していないことを検出可能とする信号を前記送信部から送信させる制御部と、
を備えたことを特徴とする無線通信装置。
【請求項６】
第１の法則によって定まるタイミングで呼び出し信号を送信する第１無線通信装置から送信される無線信号を該第１の法則によって定まるタイミングに従って間欠的に受信する、第２無線通信装置において、
前記第１無線通信装置から送信される信号を受信する受信部と、
前記第１の法則によって定まるタイミングで、前記第１無線通信装置が送信する、法則の変更が発生していないことを検出可能とする所定の信号を前記受信部により受信させ、該所定の信号の受信状況に応じて、前記第１の無線通信装置が呼び出し信号の送信タイミングとして適用している法則を特定可能な情報を前記受信部により受信させる制御部と、
を備えたことを特徴とする第２の無線通信装置。
【請求項７】
第１の法則によって定まるタイミングで呼び出し信号を送信する第１無線通信装置から送信される無線信号を、第２無線通信装置が該第１の法則によって定まるタイミングに従って間欠的に受信する無線通信システムにおける制御方法において、
該第２無線通信装置は、前記第１の法則によって定まるタイミングで、前記第１無線通信装置が送信する、法則の変更が発生していないことを検出可能とする所定の信号を受信し、
該所定の信号の受信状況に応じて、前記第１無線通信装置が呼び出し信号の送信タイミングとして適用している法則を特定可能な情報を受信する、
ことを特徴とする制御方法。
【発明の詳細な説明】
【技術分野】
【０００１】
本発明は、無線通信装置及び制御方法に関する。本発明は、移動通信システムにおいて、移動局における間欠受信を行うタイミングを特定するための法則が変更し得る場合に用いると特に好適である。
【背景技術】
【０００２】
間欠的な受信を行う無線通信システムの典型的な例としての移動通信システムが挙げられる。
【０００３】
移動通信システムは、一般に、基地局と移動局とを含み、基地局と移動局との間で無線通信が行われる。移動局は、基地局から何らかの通知がなされることを期待して常時受信処理を試みることもできるが、受信処理負荷の低減等を目的として、間欠的な受信を行う場合がある。即ち、移動局は、所定の法則で特定されるタイミング（例えば、所定の周期）で間欠的な受信処理を実行する。一方、基地局は、移動局が所定の法則で特定可能なタイミング（所定の周期）で間欠的な受信処理を実行することを認識しており、移動局に対して何らかの通知を行う場合は、移動局が受信処理を実行するであろうタイミングで通知（送信）を実行する。
【０００４】
これによれば、移動局は間欠的な受信処理を実行することにより、基地局からの通知を受信することができ、突発的な通知を受信するために常時受信処理を実行しなければならないという負荷から開放されることとなる。
【０００５】
尚、基地局は、その所定の周期を報知情報により移動局に通知することができる。周期自体を通知することもできるが、周期を特定するために必要となる１又は複数のパラメータを報知情報として送信することで、移動局が、それぞれ所定の周期を特定できるようにしてもよい。
【０００６】
W-CDMAを例に挙げて、周期の特定方法の具体的な例について説明する。
【０００７】
W-CDMAでは、無線フレームに対して、フレーム番号（ＳＦＮ：system frame number）が付与されており、移動局は、以下の式で定まるフレーム番号が付与された無線フレームについて間欠的な受信処理を実行する。
【０００８】
Cell SFN = [IMSI mod (DRX cycle length div PBP)] * PBP + n * DRX cycle length + Frame Offset
= [IMSI mod (DRX cycle length )] + n * DRX cycle length
（n = 0,1,2…（但し、ＳＦＮは最大値以下となる範囲））
尚、式中においてＩＭＳＩ（International Mobile Subscriber Identity）は、各端間固有のＩＤであり、各端末は、端末固有の情報として記憶している。また、ＰＢＰ（Paging Block Periodicity）は、モードにより異なる値をとり得るが、ＦＤＤモード（ここではＦＤＤモードとする）の場合は１である。ＮｐとＤＲＸ cycle lengthは、基地局からＢＣＨを介して報知されるパラメータである。Frame Offsetは、モードにより異なる値をとり得るが、ＦＤＤモード（ここではＦＤＤモードとする）の場合は０である。
【０００９】
従って、移動局は、上記式によって定まるＳＦＮを持つ無線フレームの受信を試みる。但し、W-CDMAの場合は、まず、ＰＩＣＨ（Paging Indicator Channel）の受信を行って、呼び出し信号の有り、無しを判定し、呼び出し信号有りを検出した場合に、所定フレーム遅れて送信されるＰＣＨの受信（着信を通知するための呼び出し信号や周期変更の通知の受信）を行う。ここで、ＰＩＣＨは、無線フレーム内に複数含まれるため、移動局は、何番目のＰＩＣＨを受信するかを特定する。
【００１０】
具体的には、無線フレーム内に配置される複数のＰＩＣＨのうち、以下の式で定まるＰ番目のＰＩＣＨを移動局は受信する。
【００１１】
PI = DRX Index mod Np = (IMSI div 8192)mod Np
【００１２】
【数１】
0004998206.tif 000002
式からも明らかなように、Ｐは、ＳＦＮに応じて変化するため、無線フレーム内で受信すべきＰＩＣＨは、受信する無線フレーム番号に応じて変化する。
【非特許文献１】３ＧＰＰ  ＴＳ  ２５．３０４
【非特許文献２】３ＧＰＰ  ＴＳ  ２５．３３１
【非特許文献３】３ＧＰＰ  ＴＳ  ２５．２１１
【発明の開示】
【発明が解決しようとする課題】
【００１３】
上述したように、移動局は、所定の法則で特定されるタイミング（例えば、所定の周期）で間欠受信を行うことができるが、基地局側の都合でその法則（例えば、周期）の変更が必要となる場合が想定される。例えば、着信のトラフィックに応じて周期の変更が必要となる場合がある。着信トラフィックが所定の基準より高い場合は、移動局への通知機会を増大させるべく、周期を短くし、着信トラフィックが所定の基準より低い場合は、移動局への通知機会を低下させ、移動局の受信処理負荷を低減させるのでる。
【００１４】
図１に、法則（例えば、周期）を変更する場合の処理の流れを示す。
【００１５】
移動局は、まず、基地局が送信する同期信号を受信して同期を確立し、この基地局が送信する報知情報（ＢＣＨ）を受信することで、間欠的な受信（ここではＰＣＨの間欠受信）を行うタイミングを特定するために必要な法則を特定するためのパラメータ（法則データ）を取得（W-CDMAでは、ＮｐやＤＲＸ cycle lengthである）する。
【００１６】
図の例では、周期Ｔ１が間欠的な受信を行う周期としてこれらのパラメータによって特定され、無線フレームの先頭から所定のオフセットずれたタイミングで、周期Ｔ１で移動局は間欠受信を行っている。尚、この例では、移動局は、その周期に合わせて電源をＯＮすることで消費電力の削減を行っている。
【００１７】
ここで、基地局が、移動局が行う間欠受信の周期を変更する場合について検討する。
【００１８】
基地局は、法則（周期）の変更前は、変更前の第１の法則（周期Ｔ１）を特定可能とするパラメータ（第１法則データ）を移動局に送信しているが、周期の変更後は、変更後の第２の法則（周期Ｔ２）（ここでは、Ｔ２＞Ｔ１）を特定可能とするパラメータ（第２法則データ）を移動局に送信するため、図のように、周期の変更前後で、報知情報の内容を変えている。
【００１９】
一方、移動局は、第１の法則（周期Ｔ１）で間欠受信動作しているため、基地局が第２の法則（周期Ｔ２）に切替えたことを認識する必要がある。
【００２０】
そこで、基地局は、法則（周期）を変更する前に、移動局が第１の法則（周期Ｔ１）で間欠受信しているＰＣＨにより、その移動局に対して法則（周期）が変更される旨（ＢＣＨを受信すべき旨）通知し、移動局は、ＰＣＨを受信することで、ＢＣＨを受信すべきことを検出する。移動局が、その通知により、ＢＣＨの受信を行うと、新たな第２の法則（周期）を特定するために必要なパラメータ（第２法則データ）を受信するため、移動局は、新たな第２の法則（周期Ｔ２）を特定することができる。従って、基地局における周期の切り替えに合わせて、間欠受信周期をＴ２に切り替え、その後も基地局からの通知を間欠受信期間内で受信することができる。
【００２１】
しかし、図２のように、移動局が法則（周期）が変更される旨（ＢＣＨを受信すべき旨）の通知の受信に失敗した場合は、移動局は、法則（周期）が変更されたことを検出しないため、基地局による法則（周期）切替え後も、変更前の第１の法則（周期Ｔ１）で間欠受信処理を続行するため、新たな第２の法則（周期Ｔ２）で基地局から送信されるＰＣＨを受信できず、基地局からの通知を受信できない状態に陥ってしまうこととなる。
【００２２】
そこで、本発明は、間欠受信の周期の変更がなされた場合に生じえる問題を少しでも低減することを目的とする。
【課題を解決するための手段】
【００２３】
本発明においては、第１の法則によって定まるタイミングに従って間欠受信を行う、ある無線通信装置に対して、該ある無線通信装置が、該第１の法則から第２の法則への適用すべき法則の変更を検出する契機となる所定の信号を送信する無線通信装置において、前記ある無線通信装置に対して無線信号を送信する送信部と、該所定の信号の送信の後、呼び出し信号を送信する際に、前記第１の法則によって定まるタイミング及び前記第２の法則によって定まるタイミングの双方で該呼び出し信号を送信するように前記送信部を制御する制御部と、を備えたことを特徴とする無線通信装置を用いる。
【００２４】
好ましくは、前記制御部は、前記所定の信号の送信の後、前記第１の法則によって定まるタイミングで、前記ある無線通信装置に対して前記所定の信号を再度送信するように前記送信部を制御する。
【００２５】
好ましくは、前記所定の信号の送信の後に行う前記所定の信号の再度の送信は、前記呼び出し信号を送信しない場合に実行される。
【００２６】
また、本発明においては、第１の法則によって定まるタイミングに従って間欠受信を行う、ある無線通信装置に対して、該ある無線通信装置が、該第１の法則から第２の法則への適用すべき法則の変更を検出する契機となる所定の信号を無線通信装置から送信する無線通信システムにおける制御方法において、前記無線通信装置は、該所定の信号の送信の後、呼び出し信号を送信する際に、前記第１の法則によって定まるタイミング及び前記第２の法則によって定まるタイミングの双方で該呼び出し信号を送信し、前記ある無線通信装置は、前記所定の信号を受信できなかった場合に、その後、前記第１の法則によって定まるタイミングで前記呼び出し信号を受信する、ことを特徴とする制御方法を用いる。
【００２７】
本発明においては、第１の法則によって定まるタイミングに従って間欠受信を行う、ある無線通信装置に対して、該ある無線通信装置が、該第１の法則から第２の法則への適用すべき法則の変更を検出する契機となる所定の信号を送信し得る無線通信装置において、前記ある無線通信装置に対して無線信号を送信する送信部と、前記第１の法則によって定まるタイミングで、前記ある無線通信装置が、前記法則の変更が発生していないことを検出可能とする信号を前記送信部から送信させる制御部と、を備えたことを特徴とする無線通信装置を用いる。
【００２８】
また、本発明においては、第１の法則によって定まるタイミングで呼び出し信号を送信する第１無線通信装置から送信される無線信号を該第１の法則によって定まるタイミングに従って間欠的に受信する、第２無線通信装置において、前記第１無線通信装置から送信される信号を受信する受信部と、前記第１の法則によって定まるタイミングで、前記第１無線通信装置が送信する、法則の変更が発生していないことを検出可能とする所定の信号を前記受信部により受信させ、該所定の信号の受信状況に応じて、前記第１の無線通信装置が呼び出し信号の送信タイミングとして適用している法則を特定可能な情報を前記受信部により受信させる制御部と、を備えたことを特徴とする第２の無線通信装置を用いる。
【００２９】
また、本発明においては、第１の法則によって定まるタイミングで呼び出し信号を送信する第１無線通信装置から送信される無線信号を、第２無線通信装置が該第１の法則によって定まるタイミングに従って間欠的に受信する無線通信システムにおける制御方法において、該第２無線通信装置は、前記第１の法則によって定まるタイミングで、前記第１無線通信装置が送信する、法則の変更が発生していないことを検出可能とする所定の信号を受信し、該所定の信号の受信状況に応じて、前記第１無線通信装置が呼び出し信号の送信タイミングとして適用している法則を特定可能な情報を受信する、ことを特徴とする制御方法を用いる。
【発明の効果】
【００３０】
本発明によれば、間欠受信の周期の変更がなされた場合に生じえる問題を低減することができる。
【発明を実施するための最良の形態】
【００３１】
以下、図面を参照して本発明の実施の形態について説明する。
【００３２】
〔ａ〕第１実施形態の説明
この実施例では、第１の法則によって定まるタイミングに従って間欠受信を行う無線通信装置（例えば移動局）に対して、無線通信装置（例えば移動局）が、第１の法則から第２の法則への適用すべき法則の変更を検出する契機となる所定の信号を無線通信装置（例えば基地局）から送信する無線通信システムにおいて、無線通信装置（例えば基地局）は、所定の信号の送信の後、呼び出し信号を送信する際に、第１の法則によって定まるタイミング及び第２の法則によって定まるタイミングの双方で呼び出し信号を送信し、無線通信装置（例えば移動局）は、所定の信号を受信できなかった場合であっても第１の法則によって定まるタイミングで呼び出し信号を受信する。
【００３３】
これによれば、無線通信装置（例えば移動局）は、所定の信号の受信に失敗した場合であっても、変更前の法則に従うことで呼び出し信号を受信することができる。
【００３４】
以下、図３〜５を用いて第１実施形態について詳細に説明する。
・無線通信装置（例えば基地局）
図３は、移動通信システムにおける基地局１を無線通信装置（第１無線通信装置)として用いる場合の無線通信装置の構成を示している。
【００３５】
基地局１は、カウンタ１０、法則データバッファ１１、符号化部１２、変調部１３、送信部１４、タイミング制御部１５、旧法則データバッファ１６、呼び出し信号バッファ１７、符号化部１８、変調部１９を備える。
【００３６】
基地局１は、タイミングの基準として用いるカウンタ１０を備え、カウンタ１０から与えられるタイミング信号に基づいて、法則データバッファ１１に格納している法則データ、呼び出し信号バッファ１７に格納している呼び出し信号の送信を行う。
【００３７】
即ち、基地局１は、現在適用している法則を特定可能な情報である法則データを符号化部１２により符号化（例えば、誤り訂正符号化）し、変調部１３でQPSK、QAM等の変調処理を施してから送信部１４において増幅等の無線信号の送信に必要とされる処理を施してアンテナから送信する。
【００３８】
法則データは、基地局１が呼び出し信号の送信タイミングとして適用している法則を特定可能な情報である。法則データの例としては、呼び出し信号の送信タイミングを直接示す情報（例えば、無線フレーム番号）、呼び出し信号の送信タイミングを求める演算に用いる１又は複数のパラメータ（例えば、W-CDMAの場合はＮｐとＤＲＸ cycle length等）、呼び出し信号の送信周期・オフセット情報等が挙げられる。
【００３９】
尚、送信部１４は、好ましくは現在適用している法則を特定可能な法則データを（所定の周期で）繰り返し送信する。そして、新たな法則データに切り替えられた場合は、新たな法則データ（第２法則データ）が送信データバッファ１１に格納され、以降、新たな法則データが基地局１から送信されることとなる。
【００４０】
一方、タイミング制御部１５は、適用している法則（送信している法則データにより特定される法則）に従って特定される、移動局に呼び出し信号を送信可能なタイミングで、呼び出し信号バッファ部１７に格納している呼び出し信号を送信するように、呼び出し信号バッファ部１７、符号化部１８、変調部１９、送信部１４等を制御する。
【００４１】
ここで、呼び出し信号バッファ部１７には、移動局に対する着信があったことを移動局に通知するための呼び出し信号が格納されており、この呼び出し信号は着信に応じて上位網側から与えられる。
【００４２】
例えば、ある移動局について呼び出し信号を送信可能なタイミグが第１の法則により、偶数番号のフレームであった場合、その移動局に対する呼び出し信号は、タイミグ制御部１５の制御の下、送信部１４から偶数番号のフレームで送信される。もちろん、呼び出し信号がない場合は、呼び出し信号を送信可能なタイミングであったとしても呼び出し信号を送信する必要はない。尚、法則データの変更を行う場合は、法則データバッファ１１からタイミング制御部１５に変更通知が与えられ、タイミング制御部１５は、呼び出し信号バッファに、所定の信号（C）を格納する。
【００４３】
所定の信号（Ｃ）としては、例えば、法則の変更があったことを移動局に通知する信号、変更後の法則データ、報知情報の受信指示等のように、移動局が法則の変更を検出する契機となる信号が挙げられる。尚、この所定の信号（C）は、報知される法則データが変更される前に、基地局の無線エリア内の各移動局に対して、それぞれの間欠受信タイミングで送信することが望ましい。
【００４４】
基地局１は、新法則データを法則データバッファ１１に設定することで、報知する法則データを新しい法則データに切り変えるが、その際、以前に適用していた法則データは、旧法則データバッファ１６に格納される。
【００４５】
そして、上記のように、法則データの変更に応じて所定の信号（Ｃ）を移動局に対して送信するが、その後、呼び出し信号を送信する際に、タイミング制御部１５は、新法則データにより特定される送信タイミングだけでなく、旧送信データにより特定される送信タイミングでも呼び出し信号の送信を行うように、各部（呼び出し信号バッファ１７、送信部１４等）の制御を行う。
【００４６】
また、所定の信号（Ｃ）の送信後、移動局に対して着信がなく、呼び出し信号を送信する必要がない場合、旧法則によって定まるタイミングでは、所定の信号（Ｃ）を再度送信する。尚、先に送信した所定の信号（Ｃ）と全く同一の内容の信号でなくとも、移動局が法則の変更があったことを検出する契機となる信号であれば内容が異なってもよい。
【００４７】
尚、所定の信号（Ｃ）の送信後、移動局に対して着信がなく、呼び出し信号を送信する必要がない場合、新法則によって定まるタイミングでは、移動局２に対して特段信号を送信しないようにすることもできる。
・無線通信装置（例えば移動局）
図４は、移動通信システムにおける移動局２を、ある無線通信装置（第２無線通信装置）として用いる場合の無線通信装置の構成を示している。
【００４８】
移動局２は、カウンタ２０、受信制御部２１、受信部２２、復調部２３、復号化部２４、法則データ受信処理部２５、呼び出し信号受信処理部２６、着信処理部２７を備える。
【００４９】
移動局２は、タイミングの規準として用いるカウンタ２０を備え、カウンタ２０から与えられるタイミング信号に基づいて、受信制御部２１は、受信部２２を制御して、間欠的な受信処理を実行する。尚、受信タイミングは、法則データ受信処理部２５により基地局１から取得した法則データによって特定されるタイミングである。尚、法則データは、基地局１から報知情報として送信されることができる。
【００５０】
受信制御部２１により受信処理を制御される受信部２２は、基地局１から送信された無線信号を間欠的に受信し、受信結果を復調部２３に与える。復調部２３は、与えられた受信結果に対して復調処理を施し、復調結果を復号化部２４に与える。復号化部２４で復号され、誤り訂正等の処理が施されたデータは、データ種別に応じて法則データ受信処理部２５、呼び出し信号受信処理部２６にそれぞれ与えられる。
【００５１】
即ち、基地局１から法則データを受信した場合は、法則データ受信処理部２５に与えられ、適用されている法則が特定される。例えば、周期、オフセット等の間欠受信を行うべきタイミングを特定する演算式で使用するパラメータが法則データとして法則データ受信処理部２５に与えられる。
【００５２】
間欠受信により受信したデータは、呼び出し信号受信処理部２６に与えられ、呼び出し信号である場合は、着信処理部２７に与えられ、着信処理に必要とされる基地局１との通信を実行する。
【００５３】
間欠受信により受信したデータが、所定の信号（Ｃ）である場合は、受信処理部２１を制御して、法則データが送信されるチャネル（例えばＢＣＨ）の受信を行うように、受信制御部２１に指示する。例えば、基地局１が、所定の無線フレームで法則データを送信する場合は、その無線フレームを受信すべく受信部２２等を制御し、受信した新しい法則データを法則データ受信処理部２５に与える。これにより、以降、新たらしい法則データに基づいて特定された新しい法則により特定されるタイミングで、呼び出し信号の受信が実行される。
・法則変更に関わる制御方法
次に、図５を用いて、適用される法則が旧法則（第１の法則データにより特定）から新法則（第２の法則データにより特定）に変更された場合における、基地局１と移動局２との間の送受信処理について説明する。
【００５４】
まず、基地局１の送信部１４は、法則データバッファ１１に設定された第１の法則データを送信している。ここでは、基地局１が形成する無線エリア内の移動局に対して報知すべく、報知チャネル（ＢＣＨ）を用いて、法則データを送信している。
【００５５】
ここでは、ある移動局について呼び出し信号を送信する可能性のあるタイミングは、第１の法則により、周期Ｔ１毎におとずれ、図のようなオフセットを持つタイミングであるとする。
【００５６】
移動局２は、この基地局１との間で同期を確立し、ＢＣＨを介して第１の法則データを法則データ受信処理部２５で受信すると、受信制御部２１に、第１の法則データに従ったタイミングを指示する。従って、受信制御部２１は、図のように、呼び出し信号（ＰＣＨ）の間欠送信タイミングに合わせて受信部２２を制御することで、間欠受信を実行する。
【００５７】
この例では、受信を行う期間におい受信部（復調部、復号化部を含めてもよい）に対する電力の供給し、その他の期間（ＢＣＨの受信期間等特別な受信期間は除く）では、電力の供給を停止している。もちろ、本実施例における無線通信システムが、セルラー方式に対応した移動通信システムに対応する場合には、間欠的な受信を行わない期間において、他の基地局からの無線信号を受信するように受信部２２を制御することもできる。
【００５８】
尚、図において、ＰＣＨの送信において、点線で示したタイミングは、実際に呼び出し信号、所定の信号（Ｃ）が送信されることを示している。
【００５９】
さて、図のように、第１の法則によって定まるＰＣＨの送信タイミングのうち、第１のタイミングと、第２のタイミングは、移動局２に対して着信がないため、呼び出し信号が送信されていない。
【００６０】
ここで、基地局１において、法則を変更する必要が発生したとする。すると、法則データバッファ１１には、新法則データ（第２の法則データ）が格納され、古い法則データ（第１の法則データ）は旧法則データバッファ１６に格納されることとなる。
【００６１】
そして、タイミング制御部１５は、呼び出し信号バッファ１７に対して、所定の信号（Ｃ）を与え、符号化部１８、変調部１９、送信部１４を介して、この所定の信号（Ｃ）を送信させる。尚、所定の信号（Ｃ）の送信タイミングは、第１の法則に従った呼び出し信号の送信タイミングに対応する。
【００６２】
通常であれば、移動局２の受信制御部２１によってなされる間欠受信制御により、この所定の信号（Ｃ）は、受信部２２によって受信され、呼び出し信号受信処理部２６により検出されるため、受信制御部２１は、法則データの受信を行うべくＢＣＨの受信処理を受信部２２に実行させる。
【００６３】
しかし、このケースにおいては、受信部２２は、無線環境の影響等によって、所定の信号（Ｃ）の受信に失敗したとする。即ち、ＰＣＨの第３のタイミングにおける無線信号の受信に失敗したとする。
【００６４】
その後、基地局１は、法則データバッファ１１に格納された新たな法則データ（第２の法則データ）の送信を開始するとともに、タイミング制御部１５は、呼び出し信号バッファ１７から呼び出し信号を第２の法則データに従ったタイミングで送信するように送信部１４等を制御する。図５における第５、７、８、９番目のＰＣＨがそのタイミングに対応する。
【００６５】
但し、この実施例においては、第１の法則によって定まる第４、第６のＰＣＨにおいても移動局２に対して送信が行われる。
【００６６】
この例では、法則変更後、移動局２に対する着信があったため、第４、第５のＰＣＨの双方において呼び出し信号が移動局２に対して送信される。
【００６７】
従って、移動局２は、所定の信号（Ｃ）の受信に失敗した場合であっても、法則変更前の第１のタイミングで送信される呼び出し信号を受信することで着信処理を実行することができる。もちろん、所定の信号（Ｃ）の受信に成功した場合であっても、法則変更後の第２のタイミングで送信される呼び出し信号を受信することで着信処理を実行することができる。尚、このような、新旧双方の法則に従った呼び出し信号の送信は、法則変更後、所定期間、所定回数（１回又は２回以上）等に渡って実行することもできる。
【００６８】
この例では、移動局２は、第４のＰＣＨのタイミングで送信された呼び出し信号の受信に成功している。
【００６９】
そして、基地局１は、移動局２に対する着信がなく、呼び出し信号の送信を行う必要がない場合は、図の第６のＰＣＨのように、所定の信号（Ｃ）を再度送信する。これにより、法則変更の検出契機を逸した移動局２に対して、更なる法則変更の検出契機を与えることができるからである。
【００７０】
従って、再度送信された所定の信号（Ｃ）を受信した移動局２の呼び出し信号受信処理部２６は、法則変更があったことを認識し、法則変更後における３番目の無線フレームにおいて、ＢＣＨを受信するように、受信部２２を制御する。これにより、新法則（第２の法則）の特定に必要なパラメータ（第２の法則データ）を受信し、法則データ受信処理部２５に与えることができる。
【００７１】
その後、移動局２の受信制御部２１は、第２の法則データによって特定される呼び出し信号の送信タイミングに合わせて間欠受信を実行し、第１の法則データによって特定される呼び出し信号の送信タイミングに合わせて間欠受信は行わない。
【００７２】
従って、図における９番目のＰＣＨのタイミング（第２の法則に従ったタイミング）において呼び出し信号を受信することができることとなる。
【００７３】
以上のように、この実施例によれば、間欠受信の周期の変更がなされた場合に生じえる問題（呼び出し信号を受信できない等といった問題）の低減が図られる。
【００７４】
尚、４番目のＰＣＨのタイミングで送信する呼び出し信号に所定の信号（Ｃ）を含めることで、呼び出し信号を送信する場合においても、移動局２に法則の変更があり、ＢＣＨを受信する必要性が生じたことを通知することもできる。
【００７５】
〔ｂ〕第２実施形態の説明
この実施例では、第１の法則によって定まるタイミングで呼び出し信号を送信する第１無線通信装置（例えば基地局）から送信される無線信号を、第２無線通信装置（例えば移動局）が第１の法則によって定まるタイミングに従って間欠的に受信する場合に、第２無線通信装置（例えば移動局）は、第１の法則によって定まるタイミングで、第１無線通信装置（例えば基地局）が送信する、法則の変更が発生していないことを検出可能とする所定の信号（Ｍ）を受信し、所定の信号（Ｍ）の受信状況に応じて、第１無線通信装置（例えば基地局）が呼び出し信号の送信タイミングとして適用している法則を特定可能な情報を受信するようにする。
【００７６】
これによれば、第１の無線通信装置（例えば移動局）が、呼び出し信号の送信を行うタイミングを定める法則を変更した場合に、所定の信号（Ｍ）が受信できなくなるため、第２の無線通信装置（例えば基地局）は、法則変更があったものと推定して、第１無線通信装置（例えば基地局）が呼び出し信号の送信タイミングとして適用している法則を特定可能となる。
【００７７】
以下、図６〜８を用いて第２実施形態について詳細に説明する。
・無線通信装置（例えば基地局）
図６は、移動通信システムにおける基地局３を無線通信装置（第１無線通信装置)として用いる場合の無線通信装置の構成を示している。
【００７８】
基地局３は、カウンタ３０、法則データバッファ３１、符号化部３２、変調部３３、送信部３４、タイミング制御部３５、確認信号生成部３６、呼び出し信号バッファ３７、符号化部３８、変調部３９を備える。
【００７９】
基地局３は、タイミングの基準として用いるカウンタ３０を備え、カウンタ３０から与えられるタイミング信号に基づいて、法則データバッファ３１に格納している適用中の法則データ、呼び出し信号バッファ３７に格納している呼び出し信号の送信を行う。
【００８０】
即ち、基地局３は、現在適用している法則を特定可能な情報である法則データを符号化部３２により符号化（例えば、誤り訂正符号化）し、変調部３３でQPSK、QAM等の変調処理を施してから送信部３４において増幅処理等を施してアンテナから送信する。
【００８１】
法則データは、基地局が呼び出し信号の送信タイミングとして適用している法則を特定可能な情報である。法則データの例としては、呼び出し信号の送信タイミングを直接示す情報（例えば、無線フレーム番号）、呼び出し信号の送信タイミングを求める演算に持ちる１又は複数のパラメータ（例えば、W-CDMAの場合はＮｐとＤＲＸ cycle length等）、呼び出し信号の送信周期・オフセット情報等が挙げられる。
【００８２】
尚、送信部３４は、好ましくは、現在適用している法則を特定可能な法則データを（所定の周期で）繰り返し送信する。そして、新たな法則データに切り替えられた場合は、新たな法則データ（第２法則データ）が送信データバッファ３１に格納され、以降、新たな法則データが基地局３から送信されることとなる。
【００８３】
一方、タイミング制御部３５は、適用している法則（送信している法則データにより特定される法則）に従って特定される、移動局に呼び出し信号を送信可能なタイミングで、呼び出し信号バッファ部３７に格納している呼び出し信号を送信するように、呼び出し信号バッファ部３７、符号化部３８、変調部３９、送信部３４等を制御する。
【００８４】
ここで、呼び出し信号バッファ部３７には、移動局に対する着信があったことを移動局に通知するための呼び出し信号が格納されており、この呼び出し信号は着信に応じて上位網側から与えられる。
【００８５】
例えば、ある移動局について呼び出し信号を送信可能なタイミグが第１の法則により、偶数番号のフレームであった場合、その移動局に対する呼び出し信号は、タイミグ制御部３５の制御の下、送信部３１から偶数番号のフレームで送信される。もちろん、呼び出し信号がない場合は、呼び出し信号を送信可能なタイミングであったとしても呼び出し信号を送信する必要はない。尚、法則データの変更を行う場合は、法則データバッファ３１からタイミング制御部３５に変更通知が与えられ、タイミング制御部３５は、呼び出し信号バッファに、所定の信号（C）を格納する。
【００８６】
所定の信号としては、例えば、法則の変更があったことを移動局に通知する信号、変更後の法則データ、報知情報の受信指示等のように、移動局が法則の変更を検出する契機となる信号が挙げられる。尚、この所定の信号（C）は、報知される法則データが変更される前に、基地局の無線エリア内の各移動局に対して、それぞれの間欠受信タイミングで送信することが望ましい。
【００８７】
基地局３は、新法則データを法則データバッファ３１に設定することで、報知する法則データを新しい法則データに切り変える。
【００８８】
そして、上記のように、法則データの変更に応じて所定の信号（Ｃ）を移動局に対して送信し、その後、呼び出し信号を送信する際に、タイミング制御部３５は、新法則データにより特定される送信タイミングで呼び出し信号の送信を行う（旧法則データにより特定される送信タイミングでは呼び出し信号の送信を行わない）ように、各部（呼び出し信号バッファ３７、送信部３４等）の制御を行う。
【００８９】
また、基地局３は、確認信号生成部３６を備えており、呼び出し信号を送信しない場合であっても、現在適用している法則によって定まるタイミングで、移動局が、法則の変更が発生していないことを検出可能とする所定の信号（Ｍ）（確認信号）を送信する。
【００９０】
基地局３は、法則を切り替えた場合は、所定の信号Ｍ（確認信号）の送信タイミングは、法則切り替え後の呼び出し信号の送信タイミングで送信するようにする。
【００９１】
尚、所定の信号Ｍは、所定の周期Ｌ又はＭ（Ｍは１又は複数）回の呼び出し信号の送信タイミングのうち１回送信すればよい。ここでは、所定の周期Ｌを適用することとする。尚、呼び出し信号と競合する場合は、呼び出し信号を優先し、所定の信号Ｍの送信は行わないこととしてもよい。もちろん、所定の信号Ｍの送信を優先し、所定の信号Ｍを送信しない場合に、呼び出し信号を送信することもできる。
・無線通信装置（例えば移動局）
図７は、移動通信システムにおける移動局４を、ある無線通信装置（第２無線通信装置）として用いる場合の無線通信装置の構成を示している。
【００９２】
移動局４は、カウンタ４０、受信制御部４１、受信部４２、復調部４３、復号化部４４、法則データ受信処理部４５、呼び出し信号受信処理部４６、着呼処理部４７、確認信号処理部４８を備える。
【００９３】
移動局４は、タイミングの規準として用いるカウンタ４０を備え、カウンタ４０から与えられるタイミング信号に基づいて、受信制御部４１は、受信部４２を制御して、間欠的な受信処理を実行する。尚、受信タイミングは、法則データ受信処理部４５により取得した法則データによって特定されるタイミングである。
【００９４】
受信制御部４１により受信処理を制御される受信部４２は、基地局３から送信された無線信号を間欠的に受信し、受信結果を復調部４３に与える。復調部４３は、与えられた受信結果に対して復調処理を施し、復調結果を復号化部４４に与える。復号化部４４で復号され、誤り訂正等の処理が施されたデータは、データ種別に応じて法則データ受信処理部４５、呼び出し信号受信処理部４６にそれぞれ与えられる。
【００９５】
即ち、基地局３から法則データを受信した場合は、法則データが法則データ受信処理部４５に与えられ、適用されている法則を特定する。例えば、周期、オフセット等の間欠受信を行うべきタイミングを特定する演算式で使用するパラメータが法則データとして法則データ受信処理部２５に与えられる。
【００９６】
間欠受信により受信したデータは、呼び出し信号受信処理部４６に与えられ、呼び出し信号である場合は、更に、着信処理部４７に与えられ、移動局４は、着信処理に必要とされる基地局３との通信を実行する。
【００９７】
間欠受信により受信したデータが、所定の信号（Ｃ）である場合は、受信処理部４１を制御して、法則データが送信されるチャネルの受信を行うように、受信制御部２１を制御する。例えば、基地局３が、所定の無線フレームで法則データを送信する場合は、その無線フレームを受信すべく受信部４２等を制御し、受信した新しい法則データを法則データ受信処理部４５に与える。
【００９８】
また、呼び出し信号受信処理部４６は、呼び出し信号、所定の信号Ｍを取得した場合は、確認信号処理部４８にそれらの信号を与える。
【００９９】
確認信号処理部４８は、所定の信号Ｍが所定の周期（又はＭ（Ｍは１又は複数）回の呼び出し信号の送信タイミングのうち１回）で受信できているかどうかを検出する。例えば周期Ｌで基地局３が送信することを認識しており、周期Ｌで所定の信号Ｍを受信できないことを検出した場合は受信制御部４１を制御して法則データの受信を行わせる。法則データ受信処理部４５は、適用中の法則データと、新たに受信した法則データとが異なる場合は、新たに受信した法則データに従ったタイミングで呼び出し信号を受信するように受信制御部４１を制御する。
【０１００】
尚、周期Ｌで所定の信号Ｍを複数回連続して受信できなくなったことを法則データの受信条件とすることもできる。
【０１０１】
・法則変更に関わる制御方法
図８を用いて法則が変更された場合の基地局、移動局の動作について説明する。
【０１０２】
図のように、法則変更前においては、基地局３は、第１の法則にしたがって周期Ｔ１で到来する呼び出し信号の送信タイミングを認識し、移動局４に対する着信があれば、呼び出し信号をそのタイミングで送信する。この場合は、法則切り替え前において呼び出し信号が送信されない例を示している。
【０１０３】
移動局４は、法則１に従って、間欠受信を行っているが、基地局３は、呼び出し信号を送信しない場合であっても、所定の周期（この場合は２×Ｔ１）で、確認信号生成部３６で生成した所定の信号Ｍを送信している（図における第１、第３のＰＣＨの送信タイミング参照）。
【０１０４】
従って、移動局４は、所定の信号Ｍを法則１に従った間欠受により受信し、確認信号処理部４８で処理する。即ち、所定の周期（２Ｔ１）で所定の信号Ｍを受信できているかどうか判定する。
【０１０５】
この例では、第１、第３のＰＣＨの送信タイミングで所定の信号Ｍを受信できているため、確認信号処理部４８は、ＢＣＨを特別に受信する処理は行わず、法則１に従った間欠受信を実行する。
【０１０６】
ここで、基地局３は、法則を変更すべく、第４のＰＣＨの送信タイミングで所定の信号（Ｃ）を送信するが、移動局４の受信部４２は、無線環境の影響によりこの所定の信号（Ｃ）を受信できなかったものとする。
【０１０７】
すると、移動局４は、基地局３が呼び出し信号を送信するタイミングを切り変えた後も、第１の法則に従って間欠受信動作を行うこととなる。
【０１０８】
しかし、所定の信号Ｍ（又は呼び出し信号）を受信すべきタイミングで所定の信号Ｍを受信できない（この場合、２回連続して受信できない）ことを、確認信号処理部４８は検出する。
【０１０９】
すると、確認信号処理部４８は、法則データの確認条件を満たしたと判定し、受信制御部４１に受信部４２を制御させ、ＢＣＨを受信させる。
【０１１０】
移動局４は、ＢＣＨの受信により、第２の法則データを受信し、第２の法則データは、法則データ受信処理部４５に入力される。
【０１１１】
法則データ受信処理部４５は、記憶している現在適用中の法則と、受信した第２の法則データにより特定される第２の法則とが相異することを検出し、受信した第２の法則データによって定まるタイミングで呼び出し信号を受信するように、受信制御部４１に指示する。
【０１１２】
従って、その後は、第２の法則に従って呼び出し信号の間欠受信を行うとともに、所定の周期Ｌで送信される所定信号Ｍを用いた、確認信号処理部４８による確認処理が実行される。
【０１１３】
尚、法則変更後は、周期Ｌは、異なる周期Ｌ'に変更することもできる。新たな周期Ｌ'は、ＢＣＨで送信することが好ましい。移動局４は、ＢＣＨの受信により、第２の法則データ及び周期Ｌ'の双方を受信し、法則変更後における所定の信号Ｍの受信確認に適用する周期をＬ'に変更する。
【０１１４】
以上の例では、W-CDMAにおけるＰＩＣＨによる呼び出し信号の有、無情報の送信ついて言及していないが、呼び出し信号を送信する場合には、ＰＩＣＨにより呼び出し信号有りを事前に通知し、呼び出し信号を送信しない場合には、ＰＩＣＨにより呼び出し信号無しを事前に通知してもよい。
【図面の簡単な説明】
【０１１５】
【図１】法則を変更する場合の処理の流れを示す。
【図２】移動局が法則の変更の検出契機を逸した場合の処理の流れを示す。
【図３】無線通信装置の例としての基地局の構成を示す。
【図４】無線通信装置の例としての移動局の構成を示す。
【図５】法則が変更された場合における基地局と移動局との間の送受信処理を示す。
【図６】無線通信装置の例としての基地局の構成を示す。
【図７】無線通信装置の例としての移動局の構成を示す。
【図８】法則が変更された場合における基地局と移動局との間の送受信処理を示す。
【符号の説明】
【０１１６】
１  基地局
２  移動局
３  基地局
４  移動局
１０  カウンタ
１１  法則データバッファ（記憶部）
１２  符号化部（符号化装置）
１３  変調部（変調器）
１４  送信部（トランスミッタ）
１５  タイミング制御部（制御装置）
１６  旧法則データバッファ（記憶部）
１７  呼び出し信号バッファ（記憶部）
１８  符号化部（符号化装置）
１９  変調部（変調器）
２０  カウンタ
２１  受信制御部（制御装置）
２２  受信部（レシーバ）
２３  復調部（復調器）
２４  復号部（復号化装置）
２５  法則データ受信処理部（制御装置）
２６  呼び出し信号処理部（制御装置）
２７  着信処理部
３０  カウンタ
３１  法則データバッファ（記憶部）
３２  符号化部（符号化装置）
３３  変調部（変調器）
３４  送信部（トランスミッタ）
３５  タイミング制御部（制御装置）
３６  確認信号生成部（信号ジェネレータ）
３７  呼び出し信号バッファ（記憶部）
３８  符号化部（符号化装置）
３９  変調部（変調器）
４０  カウンタ
４１  受信制御部（制御装置）
４２  受信部（レシーバ）
４３  復調部（復調器）
４４  復号部（復号化装置）
４５  法則データ受信処理部（制御装置）
４６  呼び出し信号処理部（制御装置）
４７  着信処理部
４８  確認信号処理部（制御装置）
【図１】
0004998206.tif 000003
【図２】
0004998206.tif 000004
【図３】
0004998206.tif 000005
【図４】
0004998206.tif 000006
【図５】
0004998206.tif 000007
【図６】
0004998206.tif 000008
【図７】
0004998206.tif 000009
【図８】
0004998206.tif 000010